(57)【要約】【課題】通常の室内照明だけでなく壁近傍領域の照明にも適した照明システムを提供する。【解決手段】照明装置１０は、壁９１に接続する天井９０に取り付けられた照明装置１０を備える。照明装置は、第１方向ｄ１に対向して配置された第１光源２１および第２光源２２を有する。照明装置からの照明光のうちの第１光源から射出された光に起因する光軸ｏｄ１は、壁９１上の位置に向いている。照明装置からの照明光のうちの第２光源２２から射出された光に起因する光軸ｏｄ２は、壁９１からずれた位置に向いている。第１光源２１から射出される光の出力は、第２光源２２から射出される光の出力から独立して制御可能である。【選択図】図１
2014222614.tif 000002
【特許請求の範囲】
【請求項１】
壁に接続する天井に取り付けられた照明装置を備え、
前記照明装置は、第１方向に対向して配置された第１光源および第２光源を有し、
前記照明装置からの照明光のうちの前記第１光源から射出された光に起因する光軸は、前記壁上の位置に向き、且つ、前記照明装置からの照明光のうちの前記第２光源から射出された光に起因する光軸は、前記壁からずれた位置に向き、
前記第１光源から射出される光の出力は、前記第２光源から射出される光の出力から独立して制御可能である、照明システム。
【請求項２】
前記壁に取り付けられた筆記用ボードを、さらに備え、
前記照明装置からの照明光のうちの前記第１光源から射出された光に起因する光軸は、前記筆記用ボード上の位置に向かう、請求項１に記載の照明システム。
【請求項３】
前記壁と前記照明装置との間に展開可能なスクリーンを、さらに備える、請求項１または２に記載の照明システム。
【請求項４】
シート状の本体部と、前記第１方向に沿って前記本体部上に配列された複数の単位プリズムと、を有するプリズムシートを、さらに備え、
前記プリズムシートの法線方向における前記第１光源および前記第２光源の側に単位プリズムが位置するように、前記プリズムシートが配置され、
前記プリズムシートの法線方向と前記第１方向との両方に平行な面において、前記照明装置からの照明光のうちの前記第１光源から射出された光に起因する光軸と、前記照明装置からの照明光のうちの前記第２光源から射出された光に起因する光軸とは、前記法線方向に関し互いに逆側に傾斜している、請求項１〜３のいずれか一項に記載の照明システム。
【請求項５】
前記第１光源は、前記第１方向における一側に位置して、前記第１方向において前記一側から前記一側とは反対側の他側へ向かうように光を射出し、
前記第２光源は、前記第１方向における前記他側に位置して、前記第１方向における前記他側から前記一側へ向かうように光を射出し、
各単位プリズムは、前記第１方向における前記一側に位置する第１面と、前記第１方向における前記他側に位置する第２面と、を有し、
前記プリズムシートの法線方向と前記第１方向との両方に平行な面において、前記第１光源から射出される光の光軸は、前記プリズムシート上の位置に向いており、当該光軸と平行な方向に進む光は、前記単位プリズムに入射した後に前記第２面で反射して、前記プリズムシートの法線方向から前記第１方向における前記一側に傾斜した方向に進み、
前記プリズムシートの法線方向と前記第１方向との両方に平行な面において、前記第２光源から射出される光の光軸は、前記プリズムシート上の位置に向いており、当該光軸と平行な方向に進む光は、前記単位プリズムに入射した後に前記第１面で反射して、前記プリズムシートの法線方向から前記第１方向における前記他側に傾斜した方向に進む、請求項４に記載の照明システム。
【請求項６】
前記プリズムシートの前記単位プリズムが形成された面に対面して配置された導光板を、さらに備え、
前記第１光源は、前記第１方向における一側に位置する導光板の側面に対面して配置され、前記第１方向において前記一側から前記一側とは反対側の他側へ向かうように光を射出し、
前記第２光源は、前記第１方向における前記他側に位置する導光板の側面に対面して配置され、前記第１方向における前記他側から前記一側へ向かうように光を射出し、
各単位プリズムは、前記第１方向における前記一側に位置する第１面と、前記第１方向における前記他側に位置する第２面と、を有し、
前記プリズムシートの法線方向と前記第１方向との両方に平行な面内での輝度の角度分布を前記導光板の前記プリズムシートに対面する出光面上で測定した場合に、前記第１光源から射出された光に起因する前記導光板の前記出光面上での輝度の角度分布において最高輝度をもたらす方向と平行な方向に前記導光板の前記出向面から進み出る光は、前記単位プリズムに入射した後に前記第２面で反射して、前記プリズムシートの法線方向から前記第１方向における前記一側に傾斜した方向に進み、
前記プリズムシートの法線方向と前記第１方向との両方に平行な面内での輝度の角度分布を前記導光板の前記プリズムシートに対面する出光面上で測定した場合に、前記第２光源から射出された光に起因する前記導光板の前記出光面上での輝度の角度分布において最高輝度をもたらす方向と平行な方向に前記導光板の前記出向面から進み出る光は、前記単位プリズムに入射した後に前記第１面で反射して、前記プリズムシートの法線方向から前記第１方向における前記他側に傾斜した方向に進む、請求項４に記載の照明システム。
【発明の詳細な説明】
【技術分野】
【０００１】
本発明は、照明装置を含む照明システムにする。
【背景技術】
【０００２】
通常、室内には照明装置が設けられている。また、室内の壁上または壁近傍には、種々の物品、例えば、絵画等の装飾品、いわゆるホワイトボードや黒板と呼ばれる筆記用ボード、プロジェクターから映像光を投射されるスクリーン等が配置される。これの物品は観察または使用される際に、照明されていることが好ましい場合と、逆に好ましく無い場合とがある。したがって、従来、例えば特許文献１に示すような単に室内照度を上昇させるための照明装置とは別途に、単独で発光量を制御し得るスポットライト等が設けられることがある。
【先行技術文献】
【特許文献】
【０００３】
【特許文献１】特開平６−１６０６４２号公報
【発明の概要】
【発明が解決しようとする課題】
【０００４】
しかしながら、通常の照明装置とは別途に、スポットライトを設置することはコスト的に好ましくない。また、照明装置とは別途にスポットライトを設けることが、室内の美感上好ましく無いこともある。本発明は、このような点を考慮してなされたものであり、通常の室内照明だけでなく壁近傍領域の照明にも適した照明システムを提供することを目的とする。
【課題を解決するための手段】
【０００５】
本発明による照明システムは、
壁に接続する天井に取り付けられた照明装置を備え、
前記照明装置は、第１方向に対向して配置された第１光源および第２光源を有し、
前記照明装置からの照明光のうちの前記第１光源から射出された光に起因する光軸は、前記壁上の位置に向き、且つ、前記照明装置からの照明光のうちの前記第２光源から射出された光に起因する光軸は、前記壁からずれた位置に向き、
前記第１光源から射出される光の出力は、前記第２光源から射出される光の出力から独立して制御可能である。
【０００６】
本発明による照明システムが、前記壁に取り付けられた筆記用ボードを、さらに備え、前記照明装置からの照明光のうちの前記第１光源から射出された光に起因する光軸は、前記筆記用ボード上の位置に向かうようにしてもよい。
【０００７】
本発明による照明システムが、前記壁と前記照明装置との間に展開可能なスクリーンを、さらに備えるようにしてもよい。
【０００８】
本発明による照明システムが、
シート状の本体部と、前記第１方向に沿って前記本体部上に配列された複数の単位プリズムと、を有するプリズムシートを、さらに備え、
前記プリズムシートの法線方向における前記第１光源および前記第２光源の側に単位プリズムが位置するように、前記プリズムシートが配置され、
前記プリズムシートの法線方向と前記第１方向との両方に平行な面において、前記照明装置からの照明光のうちの前記第１光源から射出された光に起因する光軸と、前記照明装置からの照明光のうちの前記第２光源から射出された光に起因する光軸とは、前記法線方向に関し互いに逆側に傾斜していてもよい。
【０００９】
本発明による照明システムにおいて、前記単位プリズムは、前記第１方向と交差する方向に線状に延びていてもよい。
【００１０】
本発明による照明システムにおいて、
前記第１光源は、前記第１方向における一側に位置して、前記第１方向において前記一側から前記一側とは反対側の他側へ向かうように光を射出し、
前記第２光源は、前記第１方向における前記他側に位置して、前記第１方向における前記他側から前記一側へ向かうように光を射出し、
各単位プリズムは、前記第１方向における前記一側に位置する第１面と、前記第１方向における前記他側に位置する第２面と、を有し、
前記プリズムシートの法線方向と前記第１方向との両方に平行な面において、前記第１光源から射出される光の光軸は、前記プリズムシート上の位置に向いており、当該光軸と平行な方向に進む光は、前記単位プリズムに入射した後に前記第２面で反射して、前記プリズムシートの法線方向から前記第１方向における前記一側に傾斜した方向に進み、
前記プリズムシートの法線方向と前記第１方向との両方に平行な面において、前記第２光源から射出される光の光軸は、前記プリズムシート上の位置に向いており、当該光軸と平行な方向に進む光は、前記単位プリズムに入射した後に前記第１面で反射して、前記プリズムシートの法線方向から前記第１方向における前記他側に傾斜した方向に進むようにしてもよい。
【００１１】
本発明による照明システムが、前記プリズムシートの前記単位プリズムが形成された面に対面して配置された導光板を、さらに備え、
前記第１光源は、前記第１方向における一側に位置する導光板の側面に対面して配置され、前記第１方向において前記一側から前記一側とは反対側の他側へ向かうように光を射出し、
前記第２光源は、前記第１方向における前記他側に位置する導光板の側面に対面して配置され、前記第１方向における前記他側から前記一側へ向かうように光を射出し、
各単位プリズムは、前記第１方向における前記一側に位置する第１面と、前記第１方向における前記他側に位置する第２面と、を有し、
前記プリズムシートの法線方向と前記第１方向との両方に平行な面内での輝度の角度分布を前記導光板の前記プリズムシートに対面する出光面上で測定した場合に、前記第１光源から射出された光に起因する前記導光板の前記出光面上での輝度の角度分布において最高輝度をもたらす方向と平行な方向に前記導光板の前記出向面から進み出る光は、前記単位プリズムに入射した後に前記第２面で反射して、前記プリズムシートの法線方向から前記第１方向における前記一側に傾斜した方向に進み、
前記プリズムシートの法線方向と前記第１方向との両方に平行な面内での輝度の角度分布を前記導光板の前記プリズムシートに対面する出光面上で測定した場合に、前記第２光源から射出された光に起因する前記導光板の前記出光面上での輝度の角度分布において最高輝度をもたらす方向と平行な方向に前記導光板の前記出向面から進み出る光は、前記単位プリズムに入射した後に前記第１面で反射して、前記プリズムシートの法線方向から前記第１方向における前記他側に傾斜した方向に進むようにしてもよい。
【００１２】
本発明による照明システムにおいて、前記導光板は、シート状の基部と、前記第１方向と交差する方向に配列された複数の単位光学要素と、を有するようにしてもよい。
【００１３】
本発明による照明システムにおいて、前記単位光学要素は、その配列方向と交差する方向に線状に延びていてもよい。
【００１４】
本発明による照明システムにおいて、前記単位光学要素は、前記基部の前記プリズムシート側に設けられていてもよいし、或いは、前記基部の前記プリズムシートとは反対側に設けられていてもよい。
【００１５】
本発明による照明システムにおいて、前記基部は、樹脂からなる主部と、前記主部中に分散された拡散成分と、を含むようにしてもよい。
【発明の効果】
【００１６】
本発明によれば、単一の照明装置により、室内および壁近傍領域の両方の照明を行うことだけでなく、壁の照明を停止して室内照明のみを行うことができる。したがって壁専用のスポットライトを設置する必要性を排除することができ、コスト面及び室内の美感の観点において有利である。
【図面の簡単な説明】
【００１７】
【図１】図１は、本発明による一実施の形態を説明するための図であって、照明システムを模式的に示す図である。
【図２】図２は、図１の照明システムに含まれた照明装置を示す縦断面図である。
【図３】図３は、図２の照明装置の一部分を示す斜視図である。
【図４】図４は、図１の照明装置の発光面上の輝度の角度分布を示すグラフである。
【図５】図５は、図２に対応する図であって、プリズムシートの一変形例を説明するための図である。
【図６】図６は、図２に対応する図であって、照明装置の一変形例を説明するための図である。
【図７】図７は、図２に対応する図であって、照明装置の他の変形例を説明するための図である。
【図８】図８は、図６又は図７の照明装置に組み込まれ得る導光板の一例を示す斜視図である。
【図９】図９は、図８の導光板の反対側から示す斜視図である。
【発明を実施するための形態】
【００１８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１９】
本明細書において、「シート」、「板」、「フィルム」の用語は、呼称の違いのみに基づいて、互いから区別されるものではない。例えば、「シート」は板やフィルムと呼ばれ得るような部材も含む概念であり、したがって、例えば「プリズムシート」は、「プリズム板」や「プリズムフィルム」と呼ばれる部材と呼称の違いのみにおいて区別され得ない。
【００２０】
また、「シート面（板面、フィルム面）」とは、対象となるシート状（板状、フィルム状）の部材を全体的かつ大局的に見た場合において対象となるシート状部材（板状部材、フィルム状部材）の平面と一致する面のことを指す。本実施の形態においては、照明装置の発光面および後述するプリズムシート３０のシート面は平行となっている。
【００２１】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２２】
図１〜図４は、本発明の一実施の形態を説明するための図である。このうち、図１は、照明装置１０の設置状況がわかるように照明システム５を示す模式図である。図２は、照明装置１０の作用を説明するための図である。図３は、照明装置１０のプリズムシート３０及び光源２１を説明するための図である。図４は、照明装置１０の発光特性を示すグラフである。
【００２３】
本実施の形態における照明システム５は、壁９１に接続する天井９０に取り付けられた複数の照明装置１０，１１と、壁９１に取り付けられた筆記用ボード９２と、照明装置１０と筆記用ボード９２との間に展開可能なスクリーン９３と、を有している。照明装置１０は、発光面１０ａを有し、発光面１０ａから面状に光を発光する。筆記用ボード９２は、いわゆるホワイトボードや黒板のように、情報等を書き込んで表示することが可能となっている。スクリーン９３は、例えば、プロジェクターのような投射機から画像光を照射され、画像を表示することができる。このスクリーン９３は、使用しない場合には、巻き取られた状態で天井９０に固定されたボックス９４内に収納可能となっている。図示された実施の形態では、ボックス９４から引き出されたスクリーン９３は、筆記用ボード９２に正対する位置に配置され、筆記用ボード９２はスクリーン９３によって覆われるようになる。
【００２４】
なお、複数の照明装置１０，１１のうち、壁９１に近接して配置された照明装置１０が、その配置された位置に応じた好適な配光特性での照明を実現することが可能となっている。その一方で、壁９１に近接して配置された照明装置１０以外の照明装置１１は、従来と同様の配光特性での照明を行うようにしてもよいが、以下の説明では、壁９１に近接して配置された照明装置１０と同様に構成されて同様の配光特性での発明を行うようになっている。以下においては、壁９１に近接して配置された照明装置１０について、その配置位置と関連付けながら、構成、作用、光学特性、配光特性等を説明していく。
【００２５】
図２に示すように、照明装置１０は、第１方向ｄ１に対向して配置された第１光源２１および第２光源２２を有している。なお、照明装置１０は、壁９１から第１方向ｄ１に沿って離間した位置に配置されている。そして、照明装置１０、スクリーン９３（ボックス９４）、筆記用ボード９２及び壁９１は、この順番で、第１方向ｄ１に配置されている。
【００２６】
図１に示すように、照明装置１０からの照明光のうちの第１光源２１から射出された光に起因する光軸ｏｄ１は、照明装置１０の発光面１０ａから壁９１上の位置に向かっている。とりわけ本実施の形態では、光軸ｏｄ１は、壁９１のうちの、壁９１に取り付けられた筆記用ボード９２によって覆われている位置に向かっている。したがって、照明装置１０からの照明光のうちの第１光源２１から射出された光に起因する光軸ｏｄ１は、壁９１に取り付けられた筆記用ボード９２上の位置に向かっている、とも言える。一方、照明装置１０からの照明光のうちの第２光源２２から射出された光に起因する光軸ｏｄ１は、壁９１からずれた位置に向いている。言い換えると、光軸ｏｄ１は、壁９１以外の位置に向いている。
【００２７】
とりわけ本実施の形態では、発光面１０ａの法線方向ｎｄおよび第１方向ｄ１の両方に平行な面、すなわち、図１および図２において、照明装置１０からの照明光のうちの第１光源２１から射出された光に起因する光軸ｏｄ１と、照明装置１０からの照明光のうちの第２光源２２から射出された光に起因する光軸ｏｄ１は、発光面１０ａの法線方向ｎｄから互いに逆側に傾斜している。なお、発光面１０ａの法線方向ｎｄは、本実施の形態において、後述するプリズムシート３０のシート面の法線方向ｎｄと平行であり、天井９０への法線方向とも平行であり、さらには鉛直方向と平行になっている。
【００２８】
一方、壁９１から第１方向ｄ１に沿って大きく離間して配置された照明装置１１については、照明装置１０と同様に、発光面１０ａの法線方向ｎｄに関し、第１光源２１からの光に起因した照明光の光軸ｏｄ１と、第２光源２２からの光に起因した照明装置１１の照明光の光軸ｏｄ１とは、逆側に傾斜している。しかしながら、照明装置１１は、壁９１から第１方向ｄ１に沿って大きく離間して配置されているため、第１光源２１からの光に起因した照明装置１１の照明光の光軸ｏｄ１は、第２光源２２からの光に起因した照明装置１１の照明光の光軸ｏｄ２と同様に、壁９１からずれた位置に向いている。
【００２９】
なお、本明細書において、光軸とは、対象となる光（光束）に起因した各方向の輝度分布において最高輝度が得られる方向のことを意味している。
【００３０】
次に、以上に説明した配光特性を実現し得る照明装置１０の一構成例を具体的説明していく。
【００３１】
図１及び図２に示すように、照明装置１０は、第１光源２１及び第２光源２２からの光を受けるプリズムシート３０を有している。プリズムシート３０は、第１光源２１及び第２光源２２からの光を受ける入光側面３０ｂと、室内側（すなわち、被照明領域側）を向いた出光側面３０ａと、を有している。また、照明装置１０は、プリズムシート３０の入光側面３０ｂに対面するようして設けられたケース１５を有する。ケース１５は、その端部において、プリズムシート３０の側端面の全周に接続するようにして、プリズムシート３０の入光側面３０ｂを覆っている。ケース１５の内面は、金属等の高反射率材料からなる反射面として形成されている。
【００３２】
なお、図示された例では、プリズムシート３０は、平面視において四角形形状となるように構成されており、第１方向ｄ１に対向する一対の縁部３０ｃ１，３０ｃ２と、第２方向ｄ１に対向するもう一対の縁部と、を有している。図３に示すように、図示された例において、第１方向ｄ１および第２方向ｄ１は互いに直交している。
【００３３】
図２に示すように、第１光源２１は、プリズムシート３０の第１方向ｄ１に対向する一対の縁部のうちの第１方向ｄ１における一側に位置する縁部３０ｃ１の近傍に設けられ、第２光源２２が、プリズムシート３０の第１方向ｄ１に対向する一対の縁部のうちの第１方向ｄ１における他側に位置する縁部３０ｃ２の近傍に設けられている。そして、第１光源２１は、第１方向ｄ１において一側から他側へ向かうように光を投射し、第２光源２２は、第１方向ｄ１において他側から一側へ向かうように光を投射する。
【００３４】
各光源２１，２２は、単一の発光部材２５または一群をなす複数の発光部材２５を有している。光源２１，２２をなす発光部材２５として、種々の既知な発光部材２５、例えば冷陰極管、とりわけ配光方向を絞った冷陰極管を用いることもできる。ただし、図示する例では、複数の点状発光部材２５、典型的には、線状に配列された複数の発光ダイオード（ＬＥＤ）を用いて各光源２１，２２が構成されている。各光源２１，２２をなす多数の発光部材２５は、対応する縁部３０ｃ１，３０ｃ２の長手方向に沿って並べて配置されている。すなわち、図３に示すように、本実施の形態では、各光源２１，２２をなす多数の点状発光部材２５は、第２方向ｄ２に並べて配置されている。
【００３５】
図２及び図３によく示されているように、この照明装置１０では、光源２１，２２をなす発光部材２５は、プリズムシート３０のシート面に沿ってプリズムシート３０の外輪郭の外方に位置している。より詳細には、一対の光源２１，２２の発光部材２５は、それぞれ、第１方向ｄ１に対向する一対の縁部３０ｃ１，３０ｃ２の両外方となる位置にそれぞれ配置されている。すなわち、平面視において（プリズムシート３０への法線方向ｎｄから観察した場合において）、光源２１，２２をなす発光部材２５は、プリズムシート３０と重ならない位置に配置されている。
【００３６】
また、この照明装置１０では、図２に示すように、光源２１，２２をなす発光部材２５は、正面方向ｎｄに沿ってプリズムシート３０からずれた位置に配置されている。より詳細には、光源２１，２２をなす発光部材２５は、プリズムシート３０の入光側面３０ｂよりも、プリズムシート３０のシート面への法線方向ｎｄに沿って、プリズムシート３０から離間する側（室内から離間する側）へずれた位置に配置されている。このため、図２に示すように、光源２１，２２をなす発光部材２５で発光された指向性を持つ光は、プリズムシート３０の入光側面３０ｂに直接入射し得るようになっている。
【００３７】
ところで、図示された例において、発光部材２５は、ＬＥＤのような点状の発光体２６と、発光体２６を覆うように設けられたキャップ２７と、を有している。キャップ２７は、発光体２６で発光される光の進行方向を制御し、発光部材２５の配光特性を調整する。すなわち、発光部材２５は、光を均一な光度で放射状に発光するのではなく、指向性を持って光を射出する。発光部材２５は、各方向に異なる光度（単位：カンデラ）で光を放射し、特定の方向ｐｄにピーク光度を持つ。そして、当該特定の方向ｐｄに対する傾斜角度が大きくなるにつれて、光度の値はしだいに低下していく。好ましくは、このような発光部材２５の指向特性（配光特性、さらに言い換えると、光度の角度（方向）分布）を考慮して、光源２１，２２をなす発光部材２５の配置が決定される。なお、ピーク光度をもたらす上記特定の方向が、光源２１，２２から射出される光の光軸ｐｄ１，ｐｄ２となる。
【００３８】
図２に示すように、プリズムシート３０の法線方向ｎｄ（すなわち、発光面１０ａの法線方向ｎｄ）および第１方向ｄ１の両方向に平行な面において、各第１光源２１，２２から射出される光のの光軸ｐｄ１，ｐｄ２が、プリズムシート３０のシート面に平行な方向から傾斜し、プリズムシート３０の側へ向くようになっている。さらに、発光部材２５は、光軸ｐｄ１，ｐｄ２がプリズムシート３０の入光側面３０ｂ上の位置へ向くよう、配置されている。この結果、各発光部材２５で発光された光の少なくとも一部が、プリズムシート３０へ直接入射する、すなわち、他の部材を介することなくプリズムシート３０へ入射することができる。
【００３９】
このような光軸ｐｄ１，ｐｄ２の設定によれば、発光部材２５の発光体２６で発光体された光を極めて効率的に使用することが可能となる。なお、光源２１，２２からの光の利用効率の改善を図る観点からは、図示された例のように、プリズムシート３０への法線方向ｎｄと第１方向ｄ１との両方向に沿った面（図２参照）において、プリズムシート３０の一対の縁部３０ｃ１，３０ｃ２の中間となる位置あるいは当該位置の近傍となる領域に向けて最高光度で光を発光するように、発光部材２５の配置（位置、向き）が調節されることが好ましい。
【００４０】
また、ここで説明する照明システム５において、第１光源２１から射出される光の出力は、第２光源２２から射出される光の出力から独立して制御可能となっている。とりわけ本実施の形態では、第２光源２２から射出される光の出力も、第１光源２１から射出される光の出力から独立して制御可能となっている。第１光源２１及び第２光源２２の出力は、互いから独立して射出光量または射出光度が調節可能であるように制御されてもよいし、或いは、互いから独立して射出の有無だけが制御可能になっていてもよい。本実施の形態では、図１に示すように、照明システム５が制御手段１８を含んでおり、制御手段１８は、第１光源２１から射出される光の量を連続的に調節可能な第１スイッチ１８ａと、第２光源２２から射出される光の量を連続的に調節可能な第２スイッチ１８ｂと、を有している。この制御手段１８を操作することにより、第１光源２１及び第２光源２２の出力を互いから独立して制御可能となっている。
【００４１】
次に、プリズムシート３０について説明する。
【００４２】
ここで説明するプリズムシート３０は、光の進行方向を変化させる光制御機能を有している。具体的な構成として、プリズムシート３０の入光側面３０ｂが、図２および図３によく示されているように、並べて配置された多数の単位プリズム（単位プリズム）４０によって形成されたプリズム面（光学要素面）として構成されている。このプリズム面によって、プリズムシート３０は光の進行方向を補正する機能、とりわけ図示する例では、光の進行方向が正面方向ｎｄに対してなす角度を小さくするように当該光の進行方向を偏向する偏向機能を発現するようになっている。
【００４３】
なお、本明細書における「単位プリズム」とは、屈折や反射等の光学的作用を光に及ぼして、当該光の進行方向を変化させる機能を有した要素のことを指し、「単位形状要素」、「単位光学要素」および「単位レンズ」といった要素と呼称の違いのみに基づいて区別されるものではない。同様に、「プリズム」、「レンズ」及び「光学要素」は、呼称の違いのみに基づいて、互いから区別されるものではない。
【００４４】
図３によく示されているように、プリズムシート３０は、シート状の本体部３５と、本体部３５の入光側となる面３５ｂ上に第１方向ｄ１に配列された多数の単位プリズム４０と、を有している。各単位プリズム４０は、第１方向ｄ１と交差する方向であって且つプリズムシート３０のシート面と平行な方向に、延びている。図示された例において、各単位プリズム４０は、第１方向ｄ１に直交する第２方向ｄ１に直線状に延びている。さらに、プリズムシート３０に含まれる単位プリズム４０は、互いに同一に構成されている。また、単位プリズム４０は、隙間無く配列されており、この結果、プリズムシート３０の入光側面３０ｂは単位プリズム４０によって形成されている。なお、プリズムシート３０は、そのシート面が第１方向ｄ１と平行になるように配置され、とりわけ図示された例では天井９０と平行に水平方向に延びている。
【００４５】
図２に示された断面は、単位プリズム４０の配列方向ｄ１とプリズムシート３０のシート面への法線方向との両方向に沿った断面（以下。単に「主切断面」とも呼ぶ）である。図２に示すように、各単位プリズム４０は、主切断面において、三角形形状となっている。したがって、単位プリズム４０の第１面４１及び第２面４２は、それぞれ、平坦面として形成されている。とりわけ図示する例においては、単位プリズム４０の主切断面における断面形状は、プリズムシート３０のシート面への法線方向ｎｄを中心として左右対称に配置された二等辺三角形状となっている。このような単位プリズム４０を有するプリズムシート３０によれば、第１光源２１からの光と第２光源２２からの光とに対し、対称的な光学機能を発揮することができる。結果として、プリズムシート３０の法線方向ｎｄを中心として、対称的な配光特性を呈することが可能となる。すなわち、発光面１０ａへの法線方向ｎｄ及び第１方向ｄ１の両方に平行な面において、照明装置１０からの照明光のうちの第１光源２１から射出された光に起因する光軸ｏｄ１と、照明装置１０からの照明光のうちの第２光源２２から射出された光に起因する光軸ｏｄ２は、発光面１０ａへの法線方向ｎｄを中心として対称となる。
【００４６】
以上のような構成を有したプリズムシート３０の厚みｔ（図２参照）は、プリズムシート３０の大きさが６００ｍｍ×６００ｍｍであると仮定すると、小数第２位を四捨五入した小数第１位までの数値として、０．３ｍｍ以上であることが好ましく、０．５ｍｍ以上であることがさらに好ましい。ここでプリズムシート３０の厚みｔとは、図２に示すように、プリズムシート３０の出光側面３０ａから単位プリズム４０の頂部４０ａまでのプリズムシート３０の法線方向ｎｄに沿った長さのことである。プリズムシート３０の厚みが薄いと、とりわけ天井９０に取り付ける照明装置１０においては、プリズムシート３０が自重で撓んでしまう。この場合、光源２１，２２に対するプリズムシート３０の相対位置が設計値からずれることになるので、所望の配光特性での照明を実現することができなくなる。ただし、天井９０に取り付けることに不適な重さとなることを回避すべく、プリズムシート３０の厚みｔは、５．０ｍｍ以下であることが好ましい。
【００４７】
また、プリズムシート３０のその他の寸法として、プリズムシート３０への法線方向ｎｄおよび第１方向ｄ１の両方向に沿った図２の面において、単位プリズム４０の第１方向ｄ１に沿った幅ｗ（図２参照）を１μｍ以上５００μｍ以下とすることができ、プリズムシート４０の法線方向ｎｄに沿った単位プリズム４０の高さｈ（図２参照）を０．５μｍ以上７５０μｍ以下とすることができる。また、単位プリズム４０の幅ｗに対する単位プリズム４０の高さｈの比、すなわち単位プリズム４０のアスペクト比（ｈ／ｗ）を、０．９以上２．０以下とすることができ、１．０以上２．０以下であればより好ましく、１．０以上１．５以下であればさらに好ましい。さらに、単位プリズム４０の断面形状が三角形形状または三角形形状の頂角を面取りしてなる形状からなる場合には、当該頂角の角度θａ（図２参照）を３０°以上５５°以下とすることができ、４０°以上５５°以下とすることが好ましい。
【００４８】
以上のような構成を有したプリズムシート３０は、一例として、押し出し成形により、あるいは、電離放射線硬化型樹脂からなる単位プリズム４０を基材上に賦型することにより、作製することができる。
【００４９】
次に、主として図１及び図２を参照しながら、照明装置１０での作用について説明する。
【００５０】
上述したように、図２に示された断面において、光源２１，２２の発光部材２５から射出される光の光軸ｐｄ１，ｐｄ２は、それぞれ、プリズムシート３０の入光側面３０ｂ上の位置へ向けて延びている。このため、第１光源２１及び第２光源２２の発光部材２５から射出される多くの光が、直接、つまり他の部材に入射することなく、プリズムシート３０の入光側面３０ｂに入射する。
【００５１】
図示された例では、光源２１，２２からの光の照射方向（導光方向）に沿った光量分布を均一化させるための導光板が設けられていない。しかしながら、上述したように、光源２１，２２の発光部材２５から射出される光の光軸ｐｄ１，ｐｄ２がプリズムシート３０の入光側面３０ｂ上の位置へ向けて延びており、且つ、発光部材２５による発光特性は、例えばキャップ２７により、調整可能である。この結果、第１方向ｄ１に沿った光量分布を、違和感を生じさせない程度にまで均一化させることができる。
【００５２】
なお、光源２１，２２からの光は、当該光源２１，２２の光軸ｐｄ１，ｐｄ２から傾斜した方向にも射出される。したがって、光源２１，２２の発光部材２５から射出された一部の光は、直接、つまり他の部材に入射することなく、ケース１５の反射面１６に入射し得る。このような光は、反射面１６で反射した後、プリズムシート３０の入光側面３０ｂに入射することができる。
【００５３】
プリズムシート３０は、単位プリズム４０によって発現される偏光機能を有しており、光源２１，２からの光の進行方向を所定の方向を中心とした或る角度範囲内の方向へ変化させる。図２によく示されているように、断面三角形状を有する単位プリズム４０による偏向機能の基本原理は、単位プリズム４０の一方の面（入射面）から入射した光を、他方の面（全反射面）において全反射させることにより、当該光の進行方向を変化させることにある。図２に示すように、第１光源２１に含まれる各発光部材２５は、第１方向ｄ１における一側に位置し且つ第１方向ｄ１において一側から他側へ向けて光を照射する。第１光源２１の各発光部材２５からの光は、単位プリズム４０の一側に位置する第１面４１から当該単位プリズム４０内に入射し、当該単位プリズム４０の他側に位置する第２面４２にて全反射する。一方、第２光源２２に含まれる各発光部材２５は、第１方向ｄ１における他側に位置し且つ第１方向ｄ１において他側から一側へ向けて光を照射する。したがって、第２光源２２の各発光部材２５からの光は、単位プリズム４０の第２面４２から当該単位プリズム４０内に入射し、当該単位プリズム４０の第１面４１にて全反射する。
【００５４】
このような単位プリズム４０による偏向機能は、主として、単位プリズム４０の配列方向である第１方向ｄ１と平行な光の成分に対して及ぼされる。そして、単位プリズム４０の断面形状を適宜設計しておくことにより、とりわけ、プリズムシート３０への光源光の主たる入射角度に関連して、単位プリズム４０のアスペクト比（高さｈ／幅ｗ）を設定しておくことにより、プリズムシート３０の単位プリズム４０での偏向機能の程度を調整することができる。
【００５５】
図２に示す例では、プリズムシート３０の法線方向ｎｄと第１方向ｄ１との両方に平行な面において、第１光源２１から射出される光の光軸ｐｄ１と平行な方向に進む光Ｌ２１は、単位プリズム４０に入射した後に当該単位プリズム４０の第２面４２で反射して、プリズムシート３０の法線方向ｎｄから第１方向ｄ１における一側に傾斜した方向に進むようになる。すなわち、プリズムシート３０の法線方向ｎｄと第１方向ｄ１との両方に平行な面において、第１光源２１から射出される光の光軸ｐｄ１と平行な方向に進む光Ｌ２１は、単位プリズム４０による偏向機能により、第１方向ｄ１において進行方向を折り返すようになる。
【００５６】
一方、図示された例において、プリズムシート３０及び光源２１，２２は、プリズムシート３０の法線方向ｎｄを中心として対称的に構成されていることから、第２光源２２から射出された光の光路は、第１光源２１から射出された光の光路とプリズムシート３０の法線方向ｎｄを中心として対称的な光路となる。すなわち、図２に示すように、プリズムシート３０の法線方向ｎｄと第１方向ｄ１との両方に平行な面において、第２光源２２から射出される光の光軸ｐｄ２と平行な方向に進む光Ｌ２２は、単位プリズム４０に入射した後に当該単位プリズム４０の第１面４１で反射して、プリズムシート３０の法線方向ｎｄから第１方向ｄ１における他側に傾斜した方向に進むようになる。つまり、プリズムシート３０の法線方向ｎｄと第１方向ｄ１との両方に平行な面において、第２光源２２から射出される光の光軸ｐｄ２と平行な方向に進む光Ｌ２２は、単位プリズム４０による偏向機能により、第１方向ｄ１において進行方向を折り返すようになる。
【００５７】
以上のようにしてプリズムシート３０で偏向された光は、その後、プリズムシート３０の出光側面３０ａによってなされる照明装置１０の発光面１０ａから射出する。
【００５８】
ここで図４には、発光面１０ａの法線方向ｎｄおよび第１方向ｄ１の両方に平行な面上の各方向から測定された発光面１０ａ上の輝度角度分布が、示されている。図４に示されているように、発光面１０ａの法線方向ｎｄおよび第１方向ｄ１の両方に平行な面における、すなわち、図１および図２における照明装置１０からの照明光のうちの第１光源２１から射出された光に起因する光軸ｏｄ１と、照明装置１０からの照明光のうちの第２光源２２から射出された光に起因する光軸ｏｄ１は、発光面１０ａの法線方向ｎｄから互いに逆側に傾斜する。本実施の形態では、第１光源２１から射出された光に起因する照明装置１０の照明光の光軸ｏｄ１と、第２光源２２から射出された光に起因する照明装置１０の照明光の光軸ｏｄ２とは、発光面１０ａの法線方向ｎｄ（すなわち、プリズムシート３０の法線方向ｎｄ）を中心として対称となる。
【００５９】
なお、図４に示された輝度角度分布は、照明光のうちの第１光源２１から射出された光に起因した輝度角度分布が点線で示され、照明光のうちの第２光源２２から射出された光に起因した輝度角度分布が一点鎖線で示されている。また、第１光源２１から射出された光と第２光源２２から射出された光とを足し合わせた全照明光よって得られる輝度角度分布を実線で示している。図４に示された例では、照明光のうちの第１光源２１から射出された光に起因した光軸ｏｄ１及び照明光のうちの第２光源２２から射出された光に起因した光軸ｏｄ２は、発光面１０ａの法線方向ｎｄに対して傾斜した方向となっているが、全照明光の光軸は、発光面１０ａの法線方向ｎｄと平行となっている。ただし、図４に示された輝度分布は、一例に過ぎず、例えば、図４に実践で示される全照明光の輝度角度分布が、二つのピークを有するようにしてもよい。
【００６０】
ところで、ここで説明する照明システム５では、以上の照明装置１０を壁９１の近傍となる位置において天井９０に取り付けている。そして、上述したように、照明装置１０からの照明光のうちの第１光源２１から射出された光に起因する光軸ｏｄ１は、照明装置１０の発光面１０ａから壁９１上の位置に向かっている。とりわけ本実施の形態では、光軸ｏｄ１は、壁９１のうちの、壁９１に取り付けられた筆記用ボード９２によって覆われている位置に向かっている。すなわち、照明装置１０からの照明光のうちの第１光源２１から射出された光に起因する光軸ｏｄ１は、壁９１に取り付けられた筆記用ボード９２上の位置に向かっている。また、スクリーン９３が、筆記用ボード９２を覆うようにして、筆記用ボード９２と照明装置１０との間に展開可能に設けられている。一方、照明装置１０からの照明光のうちの第２光源２２から射出された光に起因する光軸ｏｄ１は、壁９１からずれた位置に向いている。言い換えると、光軸ｏｄ１は、壁９１以外の位置に向いている。そして、照明装置１０の第１光源２１の出力と第２光源２２の出力とが、独立して制御可能となっている。
【００６１】
このような照明システム５では、筆記用ボード９２に何らかの情報を記載および表示する場合には、照明装置１０の第１光源２１から光を射出することにより、筆記用ボード９２を明るく照明することができる。この際、照明装置１０の第２光源２２からも光を射出して、室内あるいは筆記用ボード９２への筆記を行っている者を照明することができるようにしてもよいし、或いは、筆記用ボード９２を利用した情報の表示を強調または促進するため、照明装置１０の第２光源２２の出力を弱める又は停止するようにしてもよい。一方、照明装置１０と筆記用ボード９２との間にスクリーン９３が広がり、プロジェクターからスクリーン９３に画像光が投射されている場合には、スクリーン９３上に表示される画像の視認性を改善すべく、照明装置１０の第１光源２１からの光の射出を停止するようにしてもよい。この際、照明装置１０の第２光源２２からも光を射出して室内を明るく照明し、手元の資料を確認しながら、スクリーン９３上の画像を十分なコントラスで観察し得るようにすることができる。
【００６２】
すなわち、ここで説明した照明システム５によれば、通常の照明装置とは別途にスポットライト等の照明具を設けることなく、室内の照明の有無の制御とは独立して、壁面の照明の有無を制御することができる。この結果、壁専用のスポットライトを設置する必要性を排除することができ、コスト面及び室内の調和または美感の観点において非常に好ましい。とりわけ、本実施の形態では、壁９１近傍領域の照明を可能にする照明装置１０は、専ら室内の照明に用いられる照明システム５に含まれた他の照明装置１１と同一に構成され得る。このため、コスト面及び室内の調和または美感の観点において、より優れる。加えて、第１光源２１及び第２光源２２の出力の制御は、制御手段１８を用いて極めて容易に行うことができる。
【００６３】
以上のような本実施の形態によれば、単一の照明装置１０により、室内および壁近傍領域の両方の照明を行うことだけでなく、壁９１の照明を停止して室内照明のみを行うことができる。したがって壁専用のスポットライトを設置する必要性を排除することができ、コスト面及び室内の美感の観点において有利である。
【００６４】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６５】
まず、第２の実施の形態として、図５に示すように、プリズムシート３０の構成を調節することにより、例えば単位プリズム４０のアスペクト比（高さｈ／幅ｗ）を調節することにより、第１光源２１又は第２光源２２から投射されてプリズムシート３０を透過した光の進行方向が、当該プリズムシート３０の法線方向ｎｄまで絞り込まれないようにしてもよい。すなわち図５に示された例では、プリズムシート３０の法線方向ｎｄと第１方向ｄ１との両方に平行な面において、第１光源２１から射出される光の光軸ｐｄ１と平行な方向に進む光Ｌ５１は、単位プリズム４０に入射した後に当該単位プリズム４０の第２面４２で反射するが、反射後も、プリズムシート３０の法線方向ｎｄから第１方向ｄ１における他側に傾斜した方向に進み続ける。また、プリズムシート３０の法線方向ｎｄと第１方向ｄ１との両方に平行な面において、第２光源２２から射出される光の光軸ｐｄ２と平行な方向に進む光Ｌ５２は、単位プリズム４０に入射した後に当該単位プリズム４０の第１面４１で反射するが、反射後も、プリズムシート３０の法線方向ｎｄから第１方向ｄ１における一側に傾斜した方向に進み続ける。つまり、プリズムシート３０の法線方向ｎｄと第１方向ｄ１との両方に平行な面において、第１光源２１から射出される光の光軸ｐｄ１と平行な方向に進む光Ｌ５１も第２光源２２から射出される光の光軸ｐｄ２と平行な方向に進む光Ｌ５２のいずれも、単位プリズム４０による偏向機能により、第１方向ｄ１において進行方向を折り返すことはない。なお、図５に示された第２の実施の形態では、壁９１は、照明装置１０に対して第１方向ｄ１における他側に位置している。このような第２実施の形態によっても、上述した実施の形態と同様の作用効果を奏することができる。
【００６６】
なお、図５に示された第２の実施の形態では、例えば図２に示された上述の実施の形態と比較して、プリズムシート３０の法線方向ｎｄに対する第１面４１及び第２面４２の傾斜角度が大きくなる。このため、光源２１，２２の近傍にてプリズムシート３０に入射する光には、プリズムシート３０の偏向機能からして意図しない側のプリズム面４１，４２に入射する光も存在する。一例として、図５に示すように、第２光源２２から射出された光Ｌ５３は、最も壁９１に近接する第１方向ｄ１における他側において、第２面４２ではなく第１面４１に入射して、第１面４１で屈折する。結果として、この光Ｌ５３は、プリズム面４１，４２の傾斜角度にも依存するが、壁９１へ向かうようになる。また、プリズムシート３０の入光側面３０ｂへの入光量は光源の近傍で多くなる傾向も生じる。すなわち、図５に示された第２の実施の形態では、わずかであるが、本来室内を照明することを意図された第２光源２２からの光の中に、壁９１を照明する光L５３を確保することができる。したがって、第２の実施の形態では、第１光源２１からの出力を完全に停止した状態において、壁９１が暗くなり過ぎることを防止することができる。逆に上述した図２の実施の形態によれば、第１光源２１からの出力を完全に停止した状態において、壁９１に光が向かうことをより効果的に防止することができる。
【００６７】
さらに、第３の実施の形態として、図６に示すように、上述した実施の形態の照明装置１０が、導光板５０をさらに有するようにしてもよい。第３の実施の形態では、照明装置１０が導光板５０を有することを除き、上述した実施の形態と同様に構成することができる。また、第４の実施の形態として、図７に示すように、上述した第２の実施の形態の照明装置１０が、導光板５０をさらに有するようにしてもよい。図６及び図７に示された実施の形態では、導光板５０は、プリズムシート３０の単位プリズム４０が形成された入光面３０ｂに対面して配置されている。また、図６及び図７に示された実施の形態において、第１光源２１は、第１方向ｄ１における一側に位置する導光板５０の側面に対面して配置され、第２光源２２は、第１方向ｄ１における他側に位置する導光板５０の側面に対面して配置されている。図６及び図７に示された導光板５０は、シート状の基部５５を有している。基部５５は、主部５６と、主部５６中に分散された拡散成分５７と、を有している。導光板５０内を進む光は、拡散成分５７によって拡散されることにより、全反射臨界角度未満の角度で導光板５０の主面に入射し導光板５０から取り出されるようになる。
【００６８】
図６に示された第３の実施の形態では、上述した実施の形態と同様に、プリズムシート３０の法線方向ｎｄと第１方向ｄ１との両方に平行な面内での輝度の角度分布を導光板５０のプリズムシート３０に対面する出光面５０ａ上で測定した場合に、第１光源２１から射出された光に起因する導光板５０の出光面５０ａ上での輝度角度分布において最高輝度をもたらす方向と平行な方向に向けて導光板５０の出向面５０ａから進み出る光Ｌ６１は、単位プリズム４０に入射した後に第２面４２で反射して、プリズムシート３０の法線方向ｎｄから第１方向ｄ１における一側に傾斜した方向に進む。また、プリズムシート３０の法線方向ｎｄと第１方向ｄ１との両方に平行な面内での輝度角度分布を導光板５０のプリズムシート３０に対面する出光面５０ａ上で測定した場合に、第２光源２２から射出された光に起因する導光板５０の出光面５０ａ上での輝度の角度分布において最高輝度をもたらす方向と平行な方向に向けて導光板５０の出向面５０ａから進み出る光Ｌ６２は、単位プリズム４０に入射した後に第１面４１で反射して、プリズムシート３０の法線方向ｎｄから第１方向ｄ１における他側に傾斜した方向に進む。なお、図６に示された第３の実施の形態では、壁９１は、照明装置１０に対して第１方向ｄ１における一側に位置している。このような第３実施の形態によっても、上述した実施の形態と同様の作用効果を奏することができる。
【００６９】
一方、図７に示された第４の実施の形態では、上述した第２の実施の形態と同様に、プリズムシート３０の法線方向ｎｄと第１方向ｄ１との両方に平行な面内での輝度の角度分布を導光板５０のプリズムシート３０に対面する出光面５０ａ上で測定した場合に、第１光源２１から射出された光に起因する導光板５０の出光面５０ａ上での輝度角度分布において最高輝度をもたらす方向と平行な方向に向けて導光板５０の出向面５０ａから進み出る光Ｌ７１は、単位プリズム４０に入射した後に第２面４２で反射し、反射後にも、プリズムシート３０の法線方向ｎｄから第１方向ｄ１における他側に傾斜した方向に進み続ける。また、プリズムシート３０の法線方向ｎｄと第１方向ｄ１との両方に平行な面内での輝度角度分布を導光板５０のプリズムシート３０に対面する出光面５０ａ上で測定した場合に、第２光源２２から射出された光に起因する導光板５０の出光面５０ａ上での輝度の角度分布において最高輝度をもたらす方向と平行な方向に向けて導光板５０の出向面５０ａから進み出る光Ｌ７２は、単位プリズム４０に入射した後に第１面４１で反射し、反射後にも、プリズムシート３０の法線方向ｎｄから第１方向ｄ１における一側に傾斜した方向に進み続ける。なお、図７に示された第４の実施の形態では、壁９１は、照明装置１０に対して第１方向ｄ１における他側に位置している。このような第４実施の形態によっても、上述した実施の形態と同様の作用効果を奏することができる。
【００７０】
なお、導光板５０の出光面５０ａからの出射光は、導光板５０に板面への法線方向に対して当該光が射出された光源から離間する側に向けて大きな角度で傾く傾向がある。このような導光板５０の出光面５０ａからの出射光の指向性は、導光方向である第１方向ｄ１において、当該光が射出された光源２１，２２の近傍にて弱くなり、導光方向に沿って或る程度進むと非常に強くなる。また、図７に示された第４の実施の形態では、図６に示された第３の実施の形態と比較して、プリズムシート３０の法線方向ｎｄに対する第１面４１及び第２面４２の傾斜角度が大きくなる。さらに、導光板５０の出光面５０ａからの出光量は、導光方向に沿って光源の近傍において多くなる傾向も生じる。以上のことから、光源２１，２２の近傍にてプリズムシート３０に入射する光には、プリズムシート３０の偏向機能からして意図しない側のプリズム面４１，４２に入射する光も存在する。一例として、図７に示すように、第２光源２２から射出された光Ｌ７３は、最も壁９１に近接する第１方向ｄ１における他側において、第２面４２ではなく第１面４１に入射して、第１面４１で屈折する。結果として、この光Ｌ７３は、プリズム面４１，４２の傾斜角度にも依存するが、壁９１へ向かうようになる。すなわち、図７に示された第４の実施の形態では、本来室内を照明することを意図された第２光源２２からの光の中に、壁９１を照明する光L７３を確保することができる。したがって、第４の実施の形態では、第１光源２１からの出力を完全に停止した状態において、壁９１が暗くなり過ぎることを防止することができる。逆に図６に示された第３の実施の形態によれば、第１光源２１からの出力を完全に停止した状態において、壁９１に光が向かうことをより効果的に防止することができる。
【００７１】
なお、第３の実施の形態及び第４の実施の形態では、種々の既知の導光板５０を用いることができる。例えば、図８及び図９に示すように、基部５５と、基部５５の一方の面上に配列された単位光学要素６０と、を有するようにしてもよい。単位光学要素６０は、第１方向ｄ１と交差する方向、例えば第２方向ｄ２に配列される。各単位光学要素６０は、その配列方向と交差する方向、例えば第１方向ｄ１に直線状に延びている。このような単位光学要素６０は、導光板５０からの光の取り出しを促進する要素として機能するとともに、その配列方向に沿った光の成分の光路を制御する要素として機能する。一般に、導光板５０の単位光学要素６０が、プリズムシート３０の入光側面３０ｂに対面している場合には、単位光学要素６０の配列方向及び導光板５０の法線方向の両方向に沿った面内において、導光板５０からプリズムシート３０に向けて出射する出射光の進行方向が導光板５０の法線方向に対してなす角度を小さくする偏向機能が発現される。一方、導光板５０の基部５５が、プリズムシート３０の入光側面３０ｂに対面している場合には、単位光学要素６０の配列方向及び導光板５０の法線方向の両方向に沿った面内において、導光板５０からプリズムシート３０に向けて出射する出射光の進行方向が導光板５０の法線方向に対してなす角度を大きくする拡散機能が発現される。さらに、図８及び図９に示された導光板５０では、基部５５の単位光学要素６０が設けられていない他方の面に、斜面５８が形成されている。この斜面５８も、導光板５０からの光の取り出しを促進する要素として機能する。
【００７２】
次に、以上の図１〜図９に示された四つの実施の形態に適用可能な変形例についてさらに説明する。
【００７３】
例えば、上述した実施の形態において、照明システム５が、筆記用ボード９２及びスクリーン９３を含む例を示したが、これに限られない。例えば、照明装置１０が、室内と、壁９１に取り付けられた装飾品と、を照明するために用いられてもよい。また、壁９１での反射を防止するために、第１光源２１の出力を停止するようにしてもよい。このような例においても、例えば、太陽光の入射角度等の環境条件に応じて、照明装置１０によって室内を照明しながら壁９１を照明することが好ましく無い状況が生じた場合、照明システム５が有効に機能する。
【００７４】
また、上述した実施の形態において、照明システム５が複数の照明装置１０，１１を含み、且つ、複数の照明装置１０，１１が互いに同一に構成されている例を示したが、これに限られず、複数の照明装置１０，１１が互いに異なる構成を有していてもよい。
【００７５】
さらに、上述した実施の形態において、プリズムシート３０の単位プリズム４０の主切断面における断面形状の一例を説明したが、上述した例に限られない。例えば、単位プリズム４０の主切断面における断面形状が、三角形形状からなる例を示したが、これに限られず、単位プリズム４０の主切断面における断面形状は種々の形状に設計され得る。例えば、単位プリズム４０の断面形状をなす三角形形状の頂部が面取りされていてもよい。
【００７６】
また、単位プリズム４０の第１面４１と第２面４２とが、プリズムシート３０の法線方向ｎｄを中心として対称に構成されている例を示したがこれに限られない。第１面４１と第２面４２とが、非対称に構成され、第１光源２１からの光および第２光源２２からの光を、互いに非対称な所望の方向に偏向するようにしてもよい。
【００７７】
さらに、プリズムシートの主切断面において、上述した三角形形状の本体部３５から延び出る二辺のうちの少なくとも一辺が、外方に膨出した曲線となるように変形されてもよい。さらに、プリズムシート３０の主切断面において、単位プリズム４０が、曲線状の外輪郭を有するようにしてもよい。すなわち、単位プリズム４０の表面が曲面として構成されてもよい。具体的な形状の例として、プリズムシート３０の主切断面において、単位プリズム４０が、楕円の一部（一例として半楕円）または円の一部（一例として半円）に相当する形状を有するようにしてもよい。
【００７８】
また、上述した実施の形態において、プリズムシート３０に含まれる単位プリズム４０が同一に形成されている例を示したが、これに限られない。例えば、複数の単位プリズム４０が、フレネルレンズを形成するように構成されていてもよい。
【００７９】
さらに、単位プリズム４０は、一次元配列された線状の要素に限られることなく、二次元配列されてマイクロレンズ（フライアイレンズ）を構成する点状の要素であってもよい。
【００８０】
さらに、プリズムシート３０が、透過光を拡散する拡散機能を有していてもよい。具体的には、プリズムシート３０の出光側面３０ａが粗面として形成されていてもよいし、プリズムシート３０が拡散成分を含むようにしてもよい。
【００８１】
さらに、上述した実施の形態において、光源２１，２２の点状発光部材２５として、ＬＥＤを例示したが、これに限られず、その他の点状発光体を用いてもよい。また、光源２１，２２の発光部材２５は、点状発光部材に限られず、例えば冷陰極管等の線状発光部材を用いても良い。
【００８２】
なお、以上において上述した実施の形態に対するいくつかの変形例を説明してきたが、当然に、複数の変形例を適宜組み合わせて適用することも可能である。
【符号の説明】
【００８３】
５      照明システム
１０    照明装置
１０ａ  発光面
１１    照明装置
１５    ケース
１６    反射面
１８    制御手段
１８ａ  第１スイッチ
１８ｂ  第２スイッチ
２１    第１光源
２２    第２光源
２５    発光部材
２６    発光体
２７    キャップ
３０    プリズムシート
３０ａ  出光側面
３０ｂ  入光側面
３０ｃ１        縁部、第１縁部
３０ｃ２        縁部、第２縁部
３５    本体部
３５ｂ  入光側面
４０    単位プリズム
４１    第１面
４２    第２面
５０    導光板
５０ａ  出光面
５５    基部
５６    主部
５７    拡散成分
５８    斜面
６０    単位光学要素
９０    天井
９１    壁
９２    筆記用ボード
９３    スクリーン
９４    ボックス
【図１】
2014222614.tif 000003
【図２】
2014222614.tif 000004
【図３】
2014222614.tif 000005
【図４】
2014222614.tif 000006
【図５】
2014222614.tif 000007
【図６】
2014222614.tif 000008
【図７】
2014222614.tif 000009
【図８】
2014222614.tif 000010
【図９】
2014222614.tif 000011